(57)【要約】【課題】外観上の見映えを良好に保ちつつ内容液の残量を確認することが可能な二重容器を提供する。【解決手段】本発明の二重容器１は、外体１１と、外体１１の内側に配置されて内容液Ｌ１を収容する減容変形自在の内体１２とを有する容器本体２と、容器本体２の口部１１ａに装着される吐出具３と、外体１１と内体１２の間の空間と連通し、置換液Ｌ２を収容する補助容器４０とを備える二重容器２であって、外体１１には、補助容器４０から内体１２と外体１１との間に置換液Ｌ２を導入可能な液導入口１１ｄが形成されており、吐出具３を通して内容液Ｌ１が外部に吐出されると、内体１２が減容変形して補助容器４０から液導入口１１ｄを通して内体１２と外体１１との間に置換液Ｌ２が導入されることを特徴とする。【選択図】図１
2019011123.tif 000002
【特許請求の範囲】
【請求項１】
外体と、該外体の内側に配置されて内容液を収容する減容変形自在の内体とを有する容器本体と、
該容器本体の口部に装着される吐出具と、
前記外体と前記内体の間の空間と連通し、置換液を収容する補助容器と
を備える二重容器であって、
前記外体には、前記補助容器から前記内体と前記外体との間に置換液を導入可能な液導入口が形成されており、
前記吐出具を通して内容液が外部に吐出されると、前記内体が減容変形して前記補助容器から前記液導入口を通して前記内体と前記外体との間に置換液が導入されることを特徴とする二重容器。
【請求項２】
前記補助容器は、該補助容器の内部に昇降可能に設けられ該補助容器内に置換液収容空間を形成する中皿と、該中皿に関して前記液導入口と対向する側に形成された外気導入孔とを有する、請求項１に記載の二重容器。
【請求項３】
前記内体内の内容液、及び前記内体と前記外体との間に導入された置換液は外部から視認可能である、請求項１又は２に記載の二重容器。
【請求項４】
前記内体内の内容液、及び前記内体と前記外体との間に導入された置換液は外部から視認不能であり、前記補助容器内の置換液の残量が視認可能である、請求項１又は２に記載の二重容器。
【請求項５】
前記内体が前記外体の内面に剥離可能に積層されている、請求項１乃至４のいずれか一項に記載の二重容器。
【請求項６】
前記外体の底部にピンチオフ部が設けられ、該ピンチオフ部における前記外体と前記内体との間の割れ目が前記液導入口を構成している、請求項５に記載の二重容器。
【請求項７】
前記吐出具が、ノズルを備えた押下げヘッドと、該押下げヘッドが押し下げられたときに前記内体に収容されている内容液を前記ノズルに圧送するポンプとを有する、請求項１乃至６の何れか一項に記載の二重容器。
【請求項８】
前記外体を径方向外側から覆う外容器を更に備える、請求項１乃至７の何れか一項に記載の吐出具付き二重容器。
【発明の詳細な説明】
【技術分野】
【０００１】
本発明は、外殻を形成する外体と、外体の内側に配置されて内容液を収容する減容変形自在の内体とを備えた二重容器に関する。
【背景技術】
【０００２】
化粧水などの化粧料や、シャンプーやリンスあるいは液体石鹸、または食品調味料などを内容液として収容する容器として、例えば特許文献１に記載されるように、容器本体が、外殻を形成する外体（外層）と、外体の内側に配置されて内容液を収容する減容変形自在の内体（内層）とを備えた二重容器（積層剥離容器）に構成されたものが知られている。このような二重容器によれば、内容液の吐出に伴って内体が減容変形（収縮）するので、内体の内部に外気が取り込まれることを抑制して、内体に収容されている内容液の空気との接触による劣化や変質を抑制することができる。
【先行技術文献】
【特許文献】
【０００３】
【特許文献１】特開２０１３−６７４１４号公報
【発明の概要】
【発明が解決しようとする課題】
【０００４】
しかし、上記特許文献１に記載される従来の二重容器では、外体が透明である場合には、内容液の吐出に伴って減容変形する内体が外部から視認されるので、外観上の見映えが良くないという問題があった。
【０００５】
これに対し、外体を着色等して不透明なものとすることで、内体を外部から視認できないようにすることが考えられるが、この場合、内体に収容されている内容液の残量を確認することができなくなるという問題が生じることになる。
【０００６】
本発明は、このような問題点を解決することを課題とするものであり、その目的は、外観上の見映えを良好に保ちつつ内容液の残量を確認することが可能な二重容器を提供することにある。
【課題を解決するための手段】
【０００７】
本発明の二重容器は、
外体と、該外体の内側に配置されて内容液を収容する減容変形自在の内体とを有する容器本体と、
該容器本体の口部に装着される吐出具と、
前記外体と前記内体の間の空間と連通し、置換液を収容する補助容器と
を備える二重容器であって、
前記外体には、前記補助容器から前記内体と前記外体との間に置換液を導入可能な液導入口が形成されており、
前記吐出具を通して内容液が外部に吐出されると、前記内体が減容変形して前記補助容器から前記液導入口を通して前記内体と前記外体との間に置換液が導入されることを特徴とする。
【０００８】
本発明の二重容器は、上記構成において、前記補助容器が、該補助容器の内部に昇降可能に設けられ該補助容器内に置換液収容空間を形成する中皿と、該中皿に関して前記液導入口と対向する側に形成された外気導入孔とを有することが好ましい。
【０００９】
本発明の二重容器は、上記構成において、前記内体内の内容液、及び前記内体と前記外体との間に導入された置換液は外部から視認可能であることが好ましい。
【００１０】
本発明の二重容器は、上記構成において、前記内体内の内容液、及び前記内体と前記外体との間に導入された置換液は外部から視認不能であり、前記補助容器内の置換液の残量が視認可能であることが好ましい。
【００１１】
本発明の二重容器は、上記構成において、前記内体が前記外体の内面に剥離可能に積層されていることが好ましい。
【００１２】
本発明の二重容器は、上記構成において、前記外体の底部にピンチオフ部が設けられ、該ピンチオフ部における前記外体と前記内体との間の割れ目が前記液導入口を構成していることが好ましい。
【００１３】
本発明の二重容器は、上記構成において、前記吐出具が、ノズルを備えた押下げヘッドと、該押下げヘッドが押し下げられたときに前記内体に収容されている内容液を前記ノズルに圧送するポンプとを有することが好ましい。
【００１４】
本発明の二重容器は、上記構成において、前記外体を径方向外側から覆う外容器を更に備えることが好ましい。
【発明の効果】
【００１５】
本発明によれば、外観上の見映えを良好に保ちつつ内容液の残量を確認することが可能な二重容器を提供することができる。
【図面の簡単な説明】
【００１６】
【図１】本発明の第１実施形態に係る二重容器の正面断面図である。
【図２】本発明の第１実施形態に係る二重容器において、ある程度内容液が吐出された状態を示す正面断面図である。
【図３】本発明の第１実施形態に係る二重容器において、大部分の内容液が吐出された状態を示す正面断面図である。
【図４】本発明の第２実施形態に係る二重容器の正面断面図である。
【図５】本発明の第２実施形態に係る二重容器において、ある程度内容液が吐出された状態を示す正面断面図である。
【図６】本発明の第２実施形態に係る二重容器において、大部分の内容液が吐出された状態を示す正面断面図である。
【発明を実施するための形態】
【００１７】
以下、図１〜図３を参照しつつ本発明の第１実施形態に係る二重容器１について詳細に例示説明する。
【００１８】
なお、本明細書及び特許請求の範囲においては、上下方向は、図１に示すように二重容器１を正立姿勢とした状態における上方、下方を意味するものとする。また、径方向とは、二重容器１の中心軸線を通り当該中心軸線に垂直な直線に沿う方向を意味するものとする。
【００１９】
図１に示すように、本発明の第１実施形態に係る二重容器１は、容器本体２と、容器本体２に装着された吐出具３と、容器本体２を径方向外側から覆う外容器２０と、容器本体２の下方に設けられた補助容器４０とを備えている。
【００２０】
吐出具３の外側にはオーバーキャップ４がアンダーカット係合により外容器２０に対して着脱自在に装着されている。オーバーキャップ４は、不使用時には吐出具３を覆って吐出具３の誤操作を防止し、使用時には吐出具３から取り外される。なお、オーバーキャップ４は設けられなくてもよい。
【００２１】
容器本体２は、外体１１と内体１２とを備えた二重容器に構成されている。
【００２２】
外体１１は、例えばポリエチレン（ＰＥ）、ポリエチレンテレフタレート（ＰＥＴ）、ポリプロピレン（ＰＰ）等の合成樹脂材料により、略円筒状の口部１１ａと、口部１１ａの下端に連なる口部１１ａよりも大径の略円筒状の胴部１１ｂと、胴部１１ｂの下端に連なり胴部１１ｂの下端を閉塞する底部１１ｃとを備えた有底円筒状に形成されている。外体１１は、透明又は半透明の合成樹脂材料により形成されており、外体１１の内部を外部から目視で視認することができるようになっている。また、外体１１の胴部１１ｂは、内容液Ｌ１が注出されたときに径方向に変形しない程度の所定の剛性を有している。さらに、外体１１の底部１１ｃには、液導入口１１ｄが設けられている。液導入口１１ｄは、外体１１の外部を、外体１１と内体１２との間に連通している。
【００２３】
内体１２は、透明又は半透明の合成樹脂材料により形成されている。内体１２は、例えばＥＶＯＨ（エチレン−ビニルアルコール共重合体）樹脂、ナイロン、ＰＰ（ポリプロピレン）又はＰＥ（ポリエチレン）等の合成樹脂材料により、外体１１よりも薄肉の柔軟な袋状に形成されており、その開口を外体１１の口部１１ａの上端に接合した状態で外体１１の内側に配置されている。内体１２の内部は収容空間となっており、この収容空間に、例えば化粧水などの化粧料、シャンプーやリンスあるいは液体石鹸、または食品調味料などの内容液Ｌ１を収容することができる。内体１２は、その内容積を減少させるように減容変形自在（収縮自在）となっており、内容液Ｌ１が外部に吐出されて内容液Ｌ１の残量が減るのに合わせて減容変形する。なお、内体１２と外体１１は、上述の材料のうち相溶性が低く、くっつき難い組み合わせを選択することが好ましい。
【００２４】
本実施の形態においては、容器本体２は、外体１１に対応する合成樹脂層と内体１２に対応する合成樹脂層とを共押出して円筒状の積層パリソンを形成し、この積層パリソンを、左右分割型の金型を用いてブロー成形（押出ブロー成形）することにより、外体１１の内面に内体１２が剥離可能に積層された積層剥離容器（デラミネーション容器）に構成されている。容器本体２を積層剥離容器に構成することで、外体１１と内体１２とを備えた二重容器として構成される容器本体２を安価に製造することができる。
【００２５】
左右分割型の金型を用いてブロー成形されることにより、容器本体２の底部分には、突条形状のピンチオフ部１３が設けられている。ピンチオフ部１３は外体１１と内体１２との間に割れ目を有し、ピンチオフ部１３における当該割れ目が前述した液導入口１１ｄを構成している。ピンチオフ部１３における割れ目により液導入口１１ｄを構成することで、別途、外体１１に液導入口１１ｄを孔開け加工等によって設ける必要をなくして、この二重容器１の製造コストを低減することができる。
【００２６】
なお、容器本体２は、外体１１と内体１２とを備えた二重容器に構成されていれば、積層剥離容器に限らず、外体１１の内側に外体１１とは別体に形成された内体１２を組み込んだ構成とすることもできる。また、液導入口１１ｄは、ピンチオフ部１３の割れ目によって構成されるに限らず、外体１１に設けられていれば、他の構成であってもよい。例えば、液導入口１１ｄは、パンチング等の後加工によって胴部１１ｂなどに形成されてもよい。
【００２７】
外体１１の底部１１ｃの下方には、補助容器４０が底部１１ｃに隣接して設けられている。補助容器４０は、図１に示すように有底略円筒形状を有しており、側壁４１と、該側壁４１の上端部に一体に連なり開口４２ａを有する上壁４２と、側壁４１の下端部に装着される底壁４３と、側壁４１の内周面に沿って上下に移動可能な中皿４４とを備えている。また、上壁４２における開口４２ａの径方向外側から上方に向けて嵌合筒壁４２ｂが形成されている。嵌合筒壁４２ｂの内周面には、外体１１の胴部１１ｂの下端部が嵌合している。図１に示すように、環状のシールリング２７が胴部１１ｂの下端部近傍に形成された上下２箇所の溝部に嵌合しており、当該シールリング２７の外周面が嵌合筒壁４２ｂの内周面に当接することで液導入口１１ｄは外部に対して液密にシールされている。なお、シールリング２７としては、ゴム等の軟性材料で形成されたＯリング等を用いることができる。
【００２８】
補助容器４０の内部空間には、例えば樹脂製とされる中皿４４が設けられている。中皿４４は外形略円盤状に形成されており、その外周縁には側壁４１の内周面に全周に亘って当接するシール部４４ａが一体に設けられている。中皿４４はシール部４４ａが側壁４１の内周面に対して摺動することで補助容器４０の内部で上下方向に移動自在つまり昇降可能となっている。補助容器４０の内部の側壁４１、上壁４２、及び中皿４４とで区画形成される部分は置換液収容空間となっており、補助容器４０はこの置換液収容空間に置換液Ｌ２を収容するようになっている。この置換液収容空間は、中皿４４が昇降することにより、その容積が増減される。なお、図１の状態において、置換液収容空間の内容積は、内体１２の内容積とほぼ同一に設定されている。
【００２９】
中皿４４からは、下方に向けて筒状の脚部４４ｂが垂下しており、図１の初期状態（置換液Ｌ２が補助容器４０に充填されている状態）において後述する底壁４３から上方に延びる筒状の当接部４３ｄの上端に当接している。
【００３０】
補助容器４０の底壁４３は、その外周部から上方に延びる嵌合筒部４３ｂを備えており、その係合部４３ｃが側壁４１下端部に形成された係合部４１ａにアンダーカット係合することで側壁４１の下端部に連結されている。中皿４４に関し液導入口１１ｄと対向する底壁４３には、外気導入孔４３ａが形成されている。内容液Ｌ１が吐出されて内体１２が減容変形し、外体１１と内体１２の間の空間が負圧になると、補助容器４０内の置換液Ｌ２が開口４２ａ及び液導入口１１ｄを経由して容器本体２に取り込まれると共に中皿４４は上方に上昇し、外気導入孔４３ａから補助容器４０内に空気が取り込まれる。なお、外気導入孔４３ａは、少なくとも１つ設けられていれば、その数は任意に変更可能である。
【００３１】
外容器２０は、外体１１よりも大径の略円筒状に形成され、容器本体２の肩部から下方に向けて延びて外体１１の胴部１１ｂの外側に径方向に間隔を空けて配置されている。外容器２０の下端は補助容器４０の上壁４２にまで達しており、当該下端の内周面に形成された切り欠き部２０ａに上壁４２から上方に突出する嵌合筒４２ｃが嵌合することで外容器２０は補助容器４０に固定されている。また、外容器２０の上端は、段部２２を介して径方向内側に延びる天壁２６の内周端において外体１１の口部１１ａのネックリング１１ｆにアンダーカット係合する係合部２６ａを備えている。
【００３２】
外容器２０は透明または半透明となっており、外容器２０を通して外部から容器本体２を視認可能となっている。したがって、利用者は、内体１２内の内容液Ｌ１の残量、及び内体１２と外体１１の間の空間に導入された置換液Ｌ２を外容器２０を通して目視で確認することができる。
【００３３】
なお、外容器２０は、内体１２内の内容液Ｌ１の残量、及び内体１２と外体１１の間の空間に導入された置換液Ｌ２を外部から目視で確認することができる程度の透明性を有していれば、着色等されていてもよく、また、その一部にラベル等が貼り付けられたり加飾等が施されていたりしてもよい。また、外容器２０は設けなくてもよい。補助容器４０は、外容器２０と同様に透明または半透明とすることができるが、着色等された不透明なものであってもよい。
【００３４】
次に、吐出具３の構成について説明する。吐出具３は、内体１２に収容されている内容液Ｌ１を外部に吐出するものである。図１に示すように、本実施の形態においては、吐出具３は、押下げヘッド３０とポンプ３１とを備えたポンプ式吐出具となっている。吐出具３としてポンプ式のものを用いることにより、簡単な操作で所望の量の内容液Ｌ１を容易に外部に吐出させることができる。
【００３５】
吐出具３の円筒状の装着アダプタ３２が容器本体２の口部１１ａにねじ結合によって固定されている。このように、容器本体２への吐出具３の固定構造を簡素化して、この二重容器１のコストを低減することができる。
【００３６】
装着アダプタ３２には、当該装着アダプタ３２に対して上方に向けて延びるとともに径方向外側に向けて逆Ｕ字状に曲がって天壁２６の近傍にまで達する円環状のカバー壁３３が一体に設けられている。オーバーキャップ４は、その下端内周面が段部２２の外周面に設けられた環状突起にアンダーカット係合して外容器２０に装着されるようになっている。
【００３７】
装着アダプタ３２の天壁部分３２ａには円環状の凹溝３４が設けられ、ポンプ３１は、その上端部分が凹溝３４に嵌合されることで、口部１１ａの内側に配置されるとともに内体１２の内部にまで達した状態で保持されている。装着アダプタ３２の天壁部分３２ａと口部１１ａの上端との間には内容液Ｌ１の漏れ出しを防止する環状のシール部材３５が配置されている。
【００３８】
ポンプ３１からはステム３６が突出しており、このステム３６に押下げヘッド３０が固定されている。押下げヘッド３０は、有頂円筒状に形成されており、その下端外周面に設けられた複数のガイド突起３０ａによってカバー壁３３の内周面に案内されて、ステム３６とともに上下方向に移動自在となっている。また、押下げヘッド３０の側面にはステム３６の内部通路に連通するノズル３７が設けられている。詳細は図示しないが、ステム３６の下端側にポンプ３１のピストンが固定され、ステム３６の内部通路がポンプ３１の加圧室に連通している。ポンプ３１の下端には内体１２の内部の内容液Ｌ１をポンプ３１の内部に吸引するための吸引路３８が設けられている。また、ポンプ３１には、減容変形した内体１２によって吸引路３８が閉塞されるのを防止するために、吸引路３８から下方に向けて延びる断面十字形状の隙間保持杆を備えたディップバー３９が装着されている。
【００３９】
オーバーキャップ４を取り外した状態で、手動で押下げヘッド３０を押下げ操作して、図１に示す位置から下方に向けて押し下げることにより、ポンプ３１を吐出動作させてノズル３７から外部に内容液Ｌ１を吐出させることができる。すなわち、押下げヘッド３０を押下げ操作すると、ポンプ３１が作動し、当該ポンプ３１の下端に開口する吸引路３８から吸引されてポンプ３１の内部に貯留されている内容液Ｌ１がステム３６を通してノズル３７に圧送され、ノズル３７から外部に吐出される。
【００４０】
押下げヘッド３０の押下げ操作を解除すると、図示しないバネの付勢力によって押下げヘッド３０は上方に向けて移動し、図１に示す原位置に復帰する。このとき、内体１２に収容されている内容液Ｌ１が吸引路３８からポンプ３１の内部に吸引され、次の吐出に備えてポンプ３１の内部に貯留される。
【００４１】
このように、押下げヘッド３０の押下げ操作と当該操作の解除とを繰り返し行うことで、所望の量の内容液Ｌ１をノズル３７から外部に吐出させることができる。
【００４２】
押下げヘッド３０の押下げ操作が繰り返し行われ、吐出具３を通して内体１２の内部に収容されている内容液Ｌ１が外部に吐出されると、図２に示すように、内容液Ｌ１が吐出された分だけ内体１２はその内容積を減少させるように減容変形（収縮）する。内体１２が減容変形すると、外体１１と内体１２との間が負圧になるので、置換液収容空間に充填されている置換液Ｌ２が置換液収容空間から開口４２ａ及び液導入口１１ｄを通して外体１１と内体１２との間に導入される。また、置換液収容空間に充填されている置換液Ｌ２が開口４２ａ及び液導入口１１ｄを通して外体１１と内体１２との間に導入されることにより、置換液収容空間が負圧になるので、中皿４４が上方に移動すると共に外気導入孔４３ａから補助容器４０の内部に外気が導入される。
【００４３】
すなわち、本実施の形態の二重容器１では、押下げヘッド３０が押下げ操作されて内容液Ｌ１が外部に吐出されて内体１２の内部に収容されている内容液Ｌ１の残量が減るに連れて、置換液収容空間に充填されている置換液Ｌ２が開口４２ａ及び液導入口１１ｄを通して外体１１と内体１２との間に導入されて置換液収容空間に充填されている置換液Ｌ２の残量も、内容液Ｌ１の残量に対応して減少する。
【００４４】
そして、図３に示すように、押下げヘッド３０の押下げ操作を行っても内容液Ｌ１が吐出されない程度にまで内体１２の内部に収容されている内容液Ｌ１の残量が減少すると、置換液収容空間に充填されていた置換液Ｌ２の大部分が開口４２ａ及び液導入口１１ｄを通して外体１１と内体１２との間に導入された状態となり、置換液収容空間は空となる。
【００４５】
ここで、外容器２０、外体１１及び内体１２が透明又は半透明となっているので内体１２に収容されている内容液Ｌ１、及び外体１１と内体１２の間の空間内の置換液Ｌ２を外部から目視で視認することができる。例えば、内容液Ｌ１及び置換液Ｌ２の色を赤及び青、又は黄及び青などの異なる２色にすると、置換が進む過程で２色が混合されて３色目が表れ、容器だけでは表現できないオーロラのような色合いになり使うごとに色合いを変えていく。そして、内容液Ｌ１を使い終わると、容器本体２内には置換液Ｌ２の色のみが残ることになる。また、常に容器本体２内に液体が入っているため、特に内容液Ｌ１と置換液Ｌ２を同系色とした場合には内容液Ｌ１を使うごとに内体１２が減容変形していくみすぼらしさを感じることがなく、最後まで未使用時のような外観を保ったまま内容液を使い切ることができる。したがって、本実施形態に係る二重容器１によれば、外観上の見映えを悪化させることなく、内容液Ｌ１の残量を確認することが可能である。
【００４６】
また、常に容器本体２内に液体が入っているため重心位置が変わることがなく、最後まで容器本体２の姿勢を安定させて使用することができる。
【００４７】
上記構成の二重容器１は、以下の手順で組付け及び内容液Ｌ１及び置換液Ｌ２の充填を行うことができる。まず、容器本体２の内体１２に内容液Ｌ１を充填する。次いで、容器本体２に吐出具３を装着して内体１２の開口を密閉する。次いで、置換液Ｌ２を充填した補助容器４０の上方に容器本体２を嵌合固定する。外容器２０を補助容器４０及び容器本体２に装着した後、オーバーキャップ４で吐出具３を覆う。このように、容器本体２、吐出具３、補助容器４０、外容器２０及びオーバーキャップ４をアンダーカット係合及び嵌合により固定する構成としたことにより、二重容器１の組付け作業及び内容液Ｌ１及び置換液Ｌ２の充填作業を容易にすることができる。
【００４８】
なお、本実施形態では、容器本体２の口部１１ａにポンプ３１を含む吐出具３を装着し、押下げヘッド３０の押下によって内容液Ｌ１を外部に吐出するように構成したが、この態様には限定されない。内体１２に収容されている内容液Ｌ１を外部に吐出することができるものであれば、例えばトリガーの操作により作動するポンプを備えたトリガー式吐出器などの他の吐出具を用いることもできる。
【００４９】
また、容器本体２をスクイズ（押圧）することにより内容液Ｌ１を吐出具から吐出させる構成とすることもできる。この場合、外容器２０は用いず、外体１１の胴部１１ｂは、スクイズされることにより径方向内側に向けて弾性変形可能であるとともにスクイズの解除により元の形状に復元する構成とされ、吐出具としては、例えば、内容液Ｌ１の注出口を備えるとともに当該注出口を開閉する逆止弁を備えた注出キャップが用いられる。
【００５０】
また、本実施形態では、容器本体２の底部１１ｃの下方に補助容器４０を装着するように構成したが、この態様には限定されない。補助容器４０は、例えば外容器２０と容器本体２との間の空間が置換液収容空間を形成するように構成してもよい。その場合、外容器２０などに適宜、外気導入孔、及び外気導入孔を閉塞する弁を形成するとよい。
【００５１】
以上述べたように、本実施形態では、口部１１ａを有する外体１１と、外体１１の内側に配置されて内容液Ｌ１を収容する減容変形自在の内体１２とを有する容器本体２と、外体１１の底部１１ｃに隣接して形成され、置換液Ｌ２を収容する補助容器４０とを備える二重容器１であって、外体１１の底部１１ｃには、補助容器４０から内体１２と外体１１との間に置換液Ｌ２を導入可能な液導入口１１ｄが形成されており、口部１１ａを通して内容液Ｌ１が外部に吐出されると、内体１２が減容変形して補助容器４０から液導入口１１ｄを通して内体１２と外体１１との間に置換液Ｌ２が導入されるように構成した。これによって、常に容器本体２内に液体が入っているため、内容液Ｌ１を使うごとに内体１２が減容変形していくみすぼらしさを感じることがなく、最後まで未使用時のような外観を保ったまま内容液を使い切ることができる。したがって、外観上の見映えを悪化させることなく、内容液Ｌ１の残量を確認することが可能である。また、本実施形態では、内体１２内の内容液Ｌ１が空気と接触しないので、内容液Ｌ１の酸化等を抑制して保護することができる。
【００５２】
また、本実施形態では、補助容器４０が、補助容器４０の内部に昇降可能に設けられ補助容器４０内に置換液収容空間を形成する中皿４４と、中皿４４に関して液導入口１１ｄと対向する側に形成された外気導入孔４３ａとを有するように構成した。これによって、中皿４４を有する補助容器４０を容器本体２の底部１１ｃに装着することで容器本体２内への置換液Ｌ２の導入を容易に行うことができる。
【００５３】
また、本実施形態では、内体１２内の内容液Ｌ１、及び内体１２と外体１１との間に導入された置換液Ｌ２は外部から視認可能であるように構成した。これによって、例えば、内容液Ｌ１及び置換液Ｌ２の色を異なる色にすることにより、２液の相乗効果による加飾効果を得ることができる。したがって、外観上の見映えを向上させつつ、内容液Ｌ１の残量を確認することが可能である。
【００５４】
また、本実施形態では、内体１２が外体１１の内面に剥離可能に積層されるように構成した。すなわち、容器本体２として、積層パリソンを左右分割型の金型を用いてブロー成形した積層剥離容器を用いることで、容器本体２を安価に製造することができる。
【００５５】
また、本実施形態では、外体１１の底部１１ｃにピンチオフ部１３が設けられ、ピンチオフ部１３における外体１１と内体１２との間の割れ目が液導入口１１ｄを構成するようにした。これによって、ピンチオフ部１３における割れ目により液導入口１１ｄを構成することができるので、別途、外体１１に液導入口１１ｄを孔開け加工等によって設ける必要をなくして、この二重容器１の製造コストを低減することができる。
【００５６】
また、本実施形態では、吐出具３が、ノズル３７を備えた押下げヘッド３０と、押下げヘッド３０が押し下げられたときに内体１２に収容されている内容液Ｌ１をノズル３７に圧送するポンプ３１とを有するように構成した。これによって、内容液Ｌ１をより簡便にノズル３７から噴射させることができる。
【００５７】
また、本実施形態では、外体１１を径方向外側から覆う外容器２０を更に備えるように構成した。これによって、外容器２０の剛性を外体１１よりも高くすることで外体１１の意図しない変形を抑え、二重容器１の見栄えを損なわないようにすることができる。
【００５８】
次に、図４〜図６を参照しつつ本発明の第２実施形態に係る二重容器１０１について詳細に例示説明する。
【００５９】
なお、本実施形態の二重容器１０１は、本発明の第１実施形態と比較して、容器本体１０２の内部を外部から視認不能とする代わりに、補助容器１４０内の置換液Ｌ２の残量を外部から視認可能としたほかは、第１実施形態と構成が近似している。従って、ここでは第１実施形態との差異点を中心に説明する。
【００６０】
図４において、外容器１２０は着色等により不透明な材料で形成されており、利用者は、外部から外容器１２０を通して容器本体１０２を視認することができないように構成されている。したがって、利用者は、図５に示すようにある程度内容液Ｌ１が吐出されても、内体１１２が減容変形していくみすぼらしさを感じることがなく、二重容器１０１の外観上の見映えを向上させることができる。
【００６１】
本実施形態の補助容器１４０は、外容器２０と同様に着色等により不透明な材料で構成されている。また、補助容器１４０は、図４〜図６等にに示すように、側壁の一部に透明又は半透明の視認窓１４０ａが形成されている。これによって、利用者は、図６に示すように、内容液Ｌ１を吐出し終わる頃に、中皿１４４を視認窓１４０ａを通じて視認することができる。これによって、視認窓１４０ａから見えていた色が置換液Ｌ２の色から中皿１４４の色へと変化するため、利用者は、使い終わりが近いことを認識することができる。
【００６２】
なお、本実施形態では、外容器２０を不透明材料で構成して容器本体２内の内容液Ｌ１及び置換液Ｌ２を視認不能に構成したが、この態様には限定されない。例えば、外容器２０を設けず、外体１１を不透明材料で構成してもよい。
【００６３】
また、本実施形態では、補助容器１４０は、側壁を不透明材料で構成すると共に、側壁に透明又は半透明の視認窓１４０ａを形成するように構成したが、この態様には限定されず、側壁全体を透明又は半透明の材料で構成してもよい。
【００６４】
以上のように、本実施形態では、内体１１２内の内容液Ｌ１、及び内体１１２と外体１１１との間に導入された置換液Ｌ２は外部から視認不能であり、補助容器１４０内の置換液Ｌ２の残量が視認可能であるように構成した。これによって、ある程度内容液Ｌ１が吐出されても、内体１１２が減容変形していくみすぼらしさを感じることがなく、二重容器１０１の外観上の見映えを向上させることができる。また、容器本体１０２を不透明な外容器１２０で覆うことで、内容液Ｌ１を遮光して保護することができる。また、補助容器１４０内の置換液Ｌ２の残量は、視認窓１４０ａを通して視認することができる。より具体的には、図４〜図６の例では、置換液収容空間の上端近傍に透明又は半透明の視認窓１４０ａが設けられている。そして、置換液収容空間内の置換液Ｌ２の残量が減少して中皿１４４が置換液収容空間の上端近傍まで上昇すると、視認窓１４０ａ通して中皿１４４が視認可能となり、利用者は、置換液収容空間内の置換液Ｌ２の残量が少ないことを認識することができる。置換液収容空間に充填されている置換液Ｌ２の残量は、内体１１２内の内容液Ｌ１の残量に対応して減少するように構成されている。そのため、利用者は、置換液収容空間の置換液Ｌ２の残量の減少により、容器本体２内の内容液Ｌ１の残量が少ないことを認識することができる。
【００６５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００６６】
１    二重容器
２    容器本体
３    吐出具
４    オーバーキャップ
１１    外体
１１ａ  口部
１１ｂ  胴部
１１ｃ  底部
１１ｄ  液導入口
１１ｆ  ネックリング
１２    内体
１３    ピンチオフ部
２０    外容器
２０ａ  切り欠き部
２２    段部
２６    天壁
２６ａ  係合部
２７    シールリング
３０    押下げヘッド
３０ａ  ガイド突起
３１    ポンプ
３２    装着アダプタ
３２ａ  天壁部分
３３    カバー壁
３４    凹溝
３５    シール部材
３６    ステム
３７    ノズル
３８    吸引路
３９    ディップバー
４０    補助容器
４１    側壁
４１ａ  係合部
４２    上壁
４２ａ  開口
４２ｂ  嵌合筒壁
４２ｃ  嵌合筒
４３    底壁
４３ａ  外気導入孔
４３ｂ  嵌合筒部
４３ｃ  係合部
４４    中皿
４４ａ  シール部
４４ｂ  脚部
１０１  二重容器
１０２  容器本体
１１１  外体
１１２  内体
１２０  外容器
１４０  補助容器
１４０ａ  視認窓
１４４  中皿
Ｌ１    内容液
Ｌ２    置換液
【図１】
2019011123.tif 000003
【図２】
2019011123.tif 000004
【図３】
2019011123.tif 000005
【図４】
2019011123.tif 000006
【図５】
2019011123.tif 000007
【図６】
2019011123.tif 000008